(57)【特許請求の範囲】
【請求項１】
巻回具本体と、
仕掛けと共に前記巻回具本体に巻回され、内側の層と外側の層との間に前記仕掛けを収容する長尺状のシート材と
を具備することを特徴とする釣り用の仕掛け巻回具。
【請求項２】
前記仕掛けは、幹糸と、先端に釣り針を有し、前記幹糸から枝分けされた複数の枝糸とを具備することを特徴とする請求項１に記載の釣り用の仕掛け巻回具。
【請求項３】
前記巻回具本体は、軸部と、該軸部の両端に設けられ、軸部の周面から延出する延出部とを具備してなり、
前記シート材は、両延出部の間において軸部に巻回されることを特徴とする請求項１または請求項２のいずれかに記載の釣り用の仕掛け巻回具。
【請求項４】
前記軸部は、円柱状に形成され、前記延出部は、円盤状に形成されていることを特徴とする請求項３に記載の釣り用の仕掛け巻回具。
【請求項５】
巻回されたシート材の端部を内側のシート材の表面に固定する固定手段を具備することを特徴とする請求項１から請求項４までのいずれか一つに記載の釣り用の仕掛け巻回具。
【請求項６】
前記シート材は、耐水性を有する材質により形成されていることを特徴とする請求項１から請求項５までのいずれか一つに記載の釣り用の仕掛け巻回具。
【請求項７】
前記シート材は、不透明に形成されていることを特徴とする請求項１から請求項６までのいずれか一つに記載の釣り用の仕掛け巻回具。
【請求項８】
前記シート材は、透明に形成されていることを特徴とする請求項１から請求項６までのいずれか一つに記載の釣り用の仕掛け巻回具。
【請求項９】
前記シート材の表面または裏面の少なくとも一方は、凹凸を有する粗面であることを特徴とする請求項１から請求項８までのいずれか一つに記載の釣り用の仕掛け巻回具。
【請求項１０】
巻回されたシート材の端部から仕掛けの端部を延出させるようにして仕掛けを巻回することを特徴とする請求項１から請求項９までのいずれか一つに記載の釣り用の仕掛け巻回具。
【発明の詳細な説明】
【０００１】
【発明の属する技術分野】
本各発明は、釣りの仕掛けを保管するために用いられる釣り用の仕掛け巻回具に関し、特に、幹糸と、先端に釣り針を有し、前記幹糸から枝分けされた複数の枝糸とを具備する仕掛けを保管するために好適に用いられる釣り用の仕掛け巻回具に関する。
【０００２】
【従来の技術】
釣りでは、釣りの形態や対象魚に応じて、さびき仕掛け、胴突き仕掛け、天秤仕掛け等の種々の仕掛けが道糸の先端に取り付けられる。そして、一度使用した仕掛けを再使用可能に保管するため、或いは、釣行に先駆けて予め作製した仕掛けを保管するために、仕掛けを糸巻等に巻回することが一般になされている。
【０００３】
ここで、仕掛けが、先端に釣り針を有する複数の枝糸が幹糸から枝分けされてなるさびき仕掛けや胴突き仕掛け等、複数の釣り針を有する仕掛けである場合には、糸巻等に単に巻回しただけでは、巻回した幹糸から枝糸が延出して絡み易く、また、枝糸の先端に設けられた釣り針がふらついて、取り扱い難くなる。よって、従来では、図５に示すような仕掛け巻回具１００が用いられていた。この仕掛け巻回具１００は、仕掛け５０を巻回する円柱状の軸部１１０と、この軸部１１０の両端に設けられ、軸部１１０の周面から延出する円盤状の延出部１２０とを有し、延出部１２０の周縁に複数の係止孔１３０が穿設されたものであり、延出部１２０の係止孔１３０に釣り針５３を係止した状態で幹糸５１及び枝糸５２を軸部１１０に巻回することにより、枝糸５２の絡まりを防止し、釣り針５３がふらつくことなく良好に納まるようにしたものである。
【０００４】
【発明が解決しようとする課題】
しかしながら、仕掛け５０を、糸巻等に単に巻回したり、図５に示したような仕掛け巻回具１００に巻回しただけでは、仕掛け５０の幹糸５１や枝糸５２等の釣り糸が露呈するため、道具箱等に仕掛け５０と一緒に収納されたオモリ、ウキ、ハサミ等の種々の釣り道具が釣り糸に接触し、釣り糸を傷つけてしまうといった問題が生じる。
【０００５】
また、図５に示したような従来の仕掛け巻回具１００では、複数の釣り針５３を係止孔１３０に係止させなければならない。しかも、巻回される枝糸５２の順番に応じて、この枝糸５２の先端の釣り針５３を係止孔１３０に順次係止させなければならない。これは、後から巻回される枝糸５２の釣り針５３を他の枝糸５２の釣り針５３に先んじて係止孔１３０に係止してしまうと、係止された釣り針５３の枝糸５２が先に巻回されてしまい、幹糸５１や他の枝糸５２を巻回することができなくなってしまうからである。よって、従来の仕掛け巻回具１００では、仕掛け５０の巻回作業が煩雑であった。さらに、係止孔１３０に係止された釣り針５３に引張力が生じていないと、釣り針５３が係止孔１３０から不用意に外れてふらついてしまう。よって、係止孔１３０に係止された釣り針５３に十分な引張力が生じるように、細心の注意を払って枝糸５２を巻回しなければならず、この理由からも、仕掛け５０の巻回作業が煩雑であった。
【０００６】
本各発明は、上記実情を鑑みてなされたものであり、仕掛けを簡単に巻回でき、しかも、巻回された仕掛けの釣り糸を保護できるようにすることを課題とする。
【０００７】
【課題を解決するための手段】
請求項１の発明に係る仕掛け巻回具は、巻回具本体と、仕掛けと共に前記巻回具本体に巻回され、内側の層と外側の層との間に前記仕掛けを収容する長尺状のシート材とを具備するものである。
【０００８】
ここで「巻回具本体」としては、シート材を巻回するに際して芯となるものであれば、その形状を特に限定するものではない。例えば、円柱状、円筒状または略方形の平板状に形成されたものであってもよく、また、巻回されたシート材から一部が露呈されるものであっても、巻回されたシート材に全体が隠蔽されるものであってもよい。
【０００９】
本発明では、仕掛けが、シート材と共に巻回され、巻回されたシート材の内側の層と外側の層との間に収容されるため、仕掛けの釣り糸は、シート材により覆われ、外部に露呈しない。
【００１０】
また、仕掛けを巻回するに際しては、シート材と巻回具本体との間に、或いは、巻回具本体にシート材を一重以上巻回した状態では内側のシート材と外側のシート材との間に仕掛けの端末を挟み込んでシート材を巻回すれば、仕掛けはシート材の裏側に自然に納まるようにして巻回される。
【００１１】
なお、シート材を樹脂等により形成すると、シート材を巻回して内側のシート材の表面と外側のシート材の裏面とを密着させた状態で長時間放置した場合に、内側のシート材と外側のシート材とが貼着し、仕掛けの使用時にシート材を展開し難くなる虞がある。よって、密着させた状態で長時間放置しても貼着し難い材質、例えばフッ素樹脂やシリコーン樹脂等によりシート材自体を形成したり、シート材の表裏の一面、または、表裏の両面に、フッ素樹脂やシリコーン樹脂等による被覆層を設けるのが好ましい。なお、シート材自体や上記被覆層を、フッ素樹脂やシリコーン樹脂により形成すると、自己潤滑性に優れ、巻回・展開がし易く、また、撥水性に優れ、水に濡れても貼着し難いため、好適である。
【００１２】
請求項２の発明に係る仕掛け巻回具は、請求項１に記載の仕掛け巻回具において、前記仕掛けは、幹糸と、先端に釣り針を有し、前記幹糸から枝分けされた複数の枝糸とを具備するものである。
【００１３】
本発明の仕掛け巻回具は、仕掛けとして、さびき仕掛け、胴突き仕掛け等の複数の釣り針を有する仕掛けを対象としたものである。本発明では、シート材と共に仕掛けの幹糸を巻回すれば、枝糸も順次、幹糸と共に巻回され、内側のシート材と外側のシート材との間に収容される。また、枝糸の先端の釣り針は、枝糸と共に内側のシート材と外側のシート材との間に収容されて良好に納まる。
【００１４】
請求項３の発明に係る仕掛け巻回具は、請求項１または請求項２のいずれかに記載の仕掛け巻回具において、前記巻回具本体は、軸部と、該軸部の両端に設けられ、軸部の周面から延出する延出部とを具備してなり、前記シート材は、両延出部の間において軸部に巻回されるものである。
【００１５】
本発明では、シート材の巻回に際して、軸部の両側の延出部によりシート材が案内されるため、シート材がずれることなく良好に巻回される。
【００１６】
なお、延出部を、軸部の周面の一部分から延出するように構成してもよいが、軸部の全周に渡って延出するように構成すると、シート材の巻回に際して、軸部の全周に渡ってシート材が案内され、好適である。また、仕掛けとして「幹糸と、先端に釣り針を有し、前記幹糸から枝分けされた複数の枝糸とを具備する仕掛け」を対象した場合に、延出部により軸部の全周に渡って、枝糸や釣り針が巻回されたシート材の横から不用意にはみ出ることを防止することができ、この理由からも好適である。
【００１７】
ところで、軸部の両端に設けられた延出部の間隔は、シート材の幅よりも若干広い寸法とするのが好適である。なぜならば、シート材の幅に対して、延出部の間隔が広すぎると、シート材の案内や、枝糸や釣り針のはみ出しの防止を良好に行うことができなくなり、延出部の間隔が狭すぎると、延出部にシート材の側面が引っかかってしまい、シート材の円滑な巻回を行うことができなくなるからである。この延出部の間隔の具体的な寸法としては、上限として、シート材の幅よりも５ｍｍを超えない広さ、好ましくは３ｍｍを超えない広さとするのがよく、下限として、シート材の幅よりも０．５ｍｍ以上広く、好ましくは１ｍｍ以上広くするのがよい。
【００１８】
請求項４の発明に係る仕掛け巻回具は、請求項３に記載の仕掛け巻回具において、前記軸部は、円柱状に形成され、前記延出部は、円盤状に形成されているものである。
【００１９】
本発明では、円柱状の軸部にシート材が巻回されるため、シート材を巻回し易い。また、巻回具本体全体を回転させてシート材を巻回する場合に、延出部が円盤状に形成されているため、この延出部を指で持って捻ることで、巻回具本体全体を容易に回転させることができる。
【００２０】
請求項５の発明に係る仕掛け巻回具は、請求項１から請求項４までのいずれか一つに記載の仕掛け巻回具において、巻回されたシート材の端部を内側のシート材の表面に固定する固定手段を具備するものである。
【００２１】
ここで「固定手段」としては、巻回されたシート材の外周面に装着される輪ゴム、ベルト等のシート材とは別体に形成されたもの、シート材の端部の裏面と内側のシート材の表面とに設けられて互いに接着される一対の面ファスナー等を例示することができる。しかしながら、固定手段をシート材とは別体の部材により構成すると、固定手段を構成する部材が紛失する虞がある。また、シート材の端部の裏面と内側のシート材の表面との相互に設けられる一対の部材を必要とする面ファスナー等により構成すると、各部材が対応するように、シート材の巻回度合いを調節しなければならない。これに対して、シート材の端部の裏面に、粘着層が露呈する両面テープ等の粘着部材を貼着し、この粘着部材により固定手段を構成すると、固定手段が紛失することがなく、また、シート材の巻回度合いを調節しなくても、シート材の端部を内側のシート材の表面に自由に固定することができるため、好適である。
【００２２】
本発明では、シート材の端部が固定されるため、巻回されたシート材が不用意に展開せず、保管や運搬に際しての取り扱いが容易となる。
【００２３】
請求項６の発明に係る仕掛け巻回具は、請求項１から請求項５までのいずれか一つに記載の仕掛け巻回具において、前記シート材は、耐水性を有する材質により形成されているものである。
【００２４】
ここで「耐水性を有する材質」としては、塩化ビニール、ポリエチレン、ＥＶＡ等の樹脂、紙や布に油や樹脂を含浸させてなるもの等を例示できる。
【００２５】
一度使用した仕掛けを濡れた状態のままで保管する場合があるが、シート材が耐水性に劣る紙や布により形成されていると、シート材が濡れて、破れたり変形する等、損傷してしまう虞がある。本発明では、シート材が耐水性を有する材質により形成されているため、仕掛けが濡れた状態であっても、シート材を損傷させることがない。
【００２６】
請求項７の発明に係る仕掛け巻回具は、請求項１から請求項６までのいずれか一つに記載の仕掛け巻回具において、前記シート材は、不透明に形成されているものである。
【００２７】
本発明では、シート材が不透明に形成されているため、このシート材と共に巻回されてシート材により覆われた仕掛けが紫外線から保護され、仕掛けを構成する釣り糸等が樹脂により形成されていても、この釣り糸等が紫外線により劣化しない。
【００２８】
請求項８の発明に係る仕掛け巻回具は、請求項１から請求項６までのいずれか一つに記載の仕掛け巻回具において、前記シート材は、透明に形成されているものである。
【００２９】
本発明では、シート材が透明に形成されているため、シート材と共に巻回されてシート材により覆われた仕掛けを目視により判別することが可能である。
【００３０】
請求項９の発明に係る仕掛け巻回具は、請求項１から請求項８までのいずれか一つに記載の仕掛け巻回具において、前記シート材の表面または裏面の少なくとも一方は、凹凸を有する粗面であるものである。
【００３１】
前述したように、シート材が樹脂等の材質により形成されていると、シート材を巻回した状態で長時間放置した場合に、内側のシート材の表面と外側のシート材の裏面とが貼着してしまう虞がある。これに対して、本発明では、互いに接触する内側のシート材の表面と外側のシート材の裏面との少なくとも一方が、凹凸を有する粗面であるため、シート材を巻回しても内側のシート材の表面と外側のシート材の裏面とが密着し難く、シート材を巻回した状態で長時間放置しても、貼着し難くなる。
【００３２】
なお、貼着の防止を考慮すると、シート材の表裏両面を粗面とするのが好適であるが、このようにシート材の表裏両面を粗面とすると、巻回した状態のシート材の外周面が粗面により形成されるため、この外周面に汚れが付着し易くなる。よって、汚れの付着の防止を考慮すると、シート材の表面は凹凸のない平滑面とし、裏面を粗面とするのが好ましい。また、シート材の表裏両面を粗面した場合であっても、巻回した状態のシート材の外周面を形成する部分であるシート材の端部の表面については平滑面とするのがよい。
【００３３】
請求項１０の発明に係る仕掛け巻回具は、請求項１から請求項９までのいずれか一つに記載の仕掛け巻回具において、巻回されたシート材の端部から仕掛けの端部を延出させるようにして仕掛けを巻回するものである。
【００３４】
本発明では、仕掛けがシート材と共に仕掛け巻回具に巻回された状態であっても、仕掛けの端部がシート材の端部から延出しているため、巻回したままの状態で仕掛けを道糸に取り付けることが可能である。
【００３５】
【発明の実施の形態】
本各発明に係る釣り用の仕掛け巻回具の実施形態として一例を、図面に基づいて以下に詳細に説明する。
【００３６】
図１に示すように、本例の仕掛け巻回具１０は、巻回具本体２０と、この巻回具本体２０に巻回される長尺状のシート材３０とを具備するものであり、シート材３０と共に仕掛け５０を巻回具本体２０に巻回するものである。
【００３７】
ここで、本例では、仕掛け巻回具１０に巻回される仕掛け５０として、両端にヨリモドシ等の接続具５４が取り付けられた幹糸５１と、この幹糸５１に所望の間隔で結び付けられ、幹糸５１から枝分けされた複数の枝糸５２と、各枝糸５２の先端に取り付けられた釣り針５３とを具備するものを例示している。しかしながら、仕掛け５０としては、これに限らず、例えば釣り針５３や接続具５４を具備せず、幹糸５１から所望の形態で枝糸５２が枝分けされた釣り糸のみにより構成されて仕掛け巻回具１０により保管される仕掛け（図示省略）等、道糸の先端に取り付けられる仕掛けであればよい。
【００３８】
巻回具本体２０は、シート材３０を巻回する円柱状の軸部２１と、この軸部２１の両端に設けられ、軸部２１の周方向に全周に渡って延出する円盤状の延出部２２とを有し、全体が一体的に形成されている。なお、巻回具本体２０を一体的に形成する手段としては、軸部２１と延出部２２とを夫々別体の部材により形成し、ネジ止め等により一体化してもよく、また、軸部２１及び延出部２２の全体をＡＢＳ樹脂等の樹脂により一体成型してもよい。
【００３９】
シート材３０は、巻回具本体２０の両延出部２２の間隔よりも僅かに狭い幅で長尺状に形成されている。具体的には、両延出部２２の間隔よりも０．５〜５ｍｍ狭い幅、好適には１〜３ｍｍ狭い幅で形成されている。そして、シート部材３０の基端は、軸部２１の軸方向に沿って固着されている。ここで、シート材３０を軸部２１に固着する手段としては、粘着テープや接着剤による固着、シート材または軸部の一方或いは双方を溶融させることによる固着、止めネジやピン等の取付部材による固着、軸部に設けられたスリットにシート材の基端を挿入して係止することによる固着等を例示することができる。
【００４０】
また、シート材３０は、塩化ビニール、ポリエチレン、ＥＶＡ、フッ素樹脂、シリコーン樹脂等の耐水性を有する樹脂により可撓性に優れた薄いシート状に形成されており、円柱状の軸部２１に巻回し易く、仕掛け５０を濡れたまま巻回しても損傷しないように構成されている。ここで、シート材３０を、ＥＶＡ、フッ素樹脂、シリコーン樹脂等の撥水性に優れた樹脂により形成すると、シート材３０を水に濡れた状態で巻回しても、内側のシート材３０と外側のシート材３０とが貼着し難く、巻回されたシート材３０を容易に展開させることができることから好適である。なお、シート材３０を、塩化ビニール、ポリエチレン等、上記のＥＶＡ等の樹脂よりは撥水性に劣る樹脂により形成した場合であっても、シート材３０の表面または裏面の一方、或いは表裏両面に、上記のＥＶＡ等の撥水性に優れた樹脂による被覆層を設けることで、内側のシート材３０と外側のシート材３０とを貼着し難くすることができる。
【００４１】
さらに、このシート材３０は、黄色、白色、黒色、灰色、青色、赤色、緑色等の顔料を混入した樹脂により、紫外線を透過しないように不透明に形成されている。このようにシート材３０を不透明に形成することで、シート材３０により覆われる仕掛け５０を紫外線から保護することができる。
【００４２】
なお、本例では、シート材３０が不透明に形成されているが、シート材３０を透明に形成してもよい。このようにシート材３０を透明に形成することで、シート材３０により覆われた仕掛け５０を目視により判別することができる。よって、釣り針５３や釣り糸等が異なる種々の形態の仕掛け５０を、個々の仕掛け巻回具１０により個別に巻回して保管した場合に、個々の仕掛け巻回具１０から仕掛け５０を引き出すことなく仕掛け５０の形態を判別することができ、仕掛け５０の使用時に、所望の仕掛け５０を直ちに取り出すことができる。
【００４３】
また、図２に示すように、シート材３０は、表面３１については凹凸のない平滑面に形成されているのであるが、裏面３２については凹凸を有する粗面に形成されている。なお、粗面は、凹部または凸部が直線状、格子状、千鳥状、点状等の所望の配置状態で形成された凹凸を有する面であればよい。
【００４４】
一方、図３に示すように、シート材３０の端部においては、裏面３２に、粘着層を露呈する両面テープ等による粘着部材４０が取り付けられている。この粘着部材４０は、巻回されたシート材３０の端部を内側のシート材の表面３１に固定する固定手段としての一例を示すものである。本例では、巻回されたシート材３０の端部の裏面３２を内側のシート材３０の表面３１に押し当てることで、粘着部材４０により、シート材３０の端部が内側のシート材３０の表面３１に固定される。
【００４５】
次に、この仕掛け巻回具１０の使用態様を説明する。図１に示すように、シート材３０を引き出した状態で、シート材３０の基端部分の裏面３２と軸部２１との間に、ヨリモドシ等の接続具５４が取り付けられた仕掛け５０の端末部分を配置し、この端末部分をシート材３０と軸部２１とで挟み込む。そして、この状態からシート材３０を巻回すれば、仕掛け５０は、内側のシート材３０の表面３１と外側のシート材３０の裏面３２との間に収容されるようにして、シート材３０と共に巻回される。
【００４６】
ここで、本例では、軸部２１が円柱状に形成されているため、この軸部２１にシート材３０を巻回し易くなっている。また、延出部２２が軸部２１の全周に渡って軸部２１の周面から延出しており、両延出部２２の間隔がシート材３０の幅よりも僅かに広い程度となっているので、シート材３０は、その側面が延出部２２に案内され、ずれることなく良好に巻回される。さらに、延出部２２が円盤状に形成されているため、この延出部２２を指で持って捻れば、巻回具本体２０を容易に回転させることができ、シート材３０を容易に巻回することができる。なお、シート材３０の巻回作業に際しては、軸部２１を略水平状態とし、この軸部２１からシート材３０及び仕掛け５０を垂れさせ、両延出部２２を両手の指で把持して延出部２２を回転させれば、仕掛け５０がシート材３０と共に円滑に巻回される。
【００４７】
このように仕掛け５０と共にシート材３０を巻回し、最後に、図３に示すように、仕掛け５０の端部を残した状態で、シート材３０の端部の裏面３２に設けられた粘着部材４０を介して、シート材３０の端部を内側のシート材３０に固定する。
【００４８】
すると、図４に示すように、巻回具本体１０及びシート材３０の全体で、略円柱状の仕掛け巻回具１０を形成してコンパクトに納まる。この状態では、巻回されたシート材３０により軸部２１周りに複数の層が形成され、仕掛け５０の略全体は、シート材３０の各層の間に収容され、シート材３０により被覆、保護される。また、この状態では、シート材３０の端部が内側のシート材３０に固定されているため、シート材３０が不用意に展開することがなく、保管や運搬に際して取り扱い易い。さらに、巻回されたシート材３０の最外層の表面、すなわち外部に露呈される面は、シート材３０の表面３１により構成されているのであるが、この表面３１は、平滑面であるため、汚れが付着し難い。
【００４９】
また、シート材３０の巻回が完了した状態では、シート材３０の端部から仕掛け５０の端部が延出している。よって、仕掛け５０の端部を引き出すことなく、仕掛け５０を道糸に取り付けることができ、道糸への仕掛け５０の取り付けを容易に行うことができる。なお、本例では、シート材３０の端部から延出する仕掛け５０の端部に、スナップを有するヨリモドシ等の接続具５４が取り付けられている。これにより、仕掛け５０を道糸に、より一層容易に取り付けることができる。
【００５０】
【発明の効果】
以上のように構成された本各発明に係る釣り用の仕掛け巻回具よれば、以下の効果を得ることができる。
【００５１】
請求項１の発明に係る釣り用の仕掛け巻回具によれば、シート材と共に巻回された仕掛けがシート材により覆われて外部に露呈しないため、シート材によって仕掛けを保護することができる。また、シート材を巻回すれば、仕掛けがシート材の裏側に自然に納まるようにして巻回されるため、仕掛けを容易に巻回することができる。
【００５２】
請求項２の発明に係る釣り用の仕掛け巻回具によれば、請求項１の発明に係る釣り用の仕掛け巻回具から得られる効果に加えて、シート材と共に仕掛けの幹糸を巻回すれば、枝糸も順次、幹糸と共に巻回されて内側のシート材と外側のシート材との間に収容され、また、枝糸の先端の釣り針も、枝糸と共に内側のシート材と外側のシート材との間に収容されるため、仕掛けが複数の釣り針を有するものであっても、容易に巻回することができる。
【００５３】
請求項３の発明に係る釣り用の仕掛け巻回具によれば、請求項１または請求項２のいずれかの発明に係る釣り用の仕掛け巻回具から得られる効果に加えて、シート材の巻回に際して、延出部によりシート材が案内されるため、シート材を良好に巻回することができる。
【００５４】
請求項４の発明に係る釣り用の仕掛け巻回具によれば、請求項３の発明に係る釣り用の仕掛け巻回具から得られる効果に加えて、軸部が円柱状に形成されているため、シート材を容易に巻回することができ、また、巻回具本体を回転させてシート材を巻回する場合に、延出部が円盤状に形成されているため、延出部を指で持って容易に回転させることができ、これにより巻回具本体を容易に回転させることができる。
【００５５】
請求項５の発明に係る釣り用の仕掛け巻回具によれば、請求項１から請求項４までのいずれか一つの発明に係る釣り用の仕掛け巻回具から得られる効果に加えて、巻回されたシート材が不用意に展開しないため、保管や運搬に際しての取り扱いを良好に行うことができる。
【００５６】
請求項６の発明に係る釣り用の仕掛け巻回具によれば、請求項１から請求項５までのいずれか一つの発明に係る釣り用の仕掛け巻回具から得られる効果に加えて、シート材が耐水性を有する材質により形成されているため、濡れた状態の仕掛けによってシート材が損傷する虞がなく、耐久性を向上させることができる。
【００５７】
請求項７の発明に係る釣り用の仕掛け巻回具によれば、請求項１から請求項６までのいずれか一つの発明に係る釣り用の仕掛け巻回具から得られる効果に加えて、シート材が不透明に形成されているため、このシート材により覆われた仕掛けを紫外線から保護することができ、樹脂により形成された釣り糸等が紫外線により劣化することを防止できる。
【００５８】
請求項８の発明に係る釣り用の仕掛け巻回具によれば、請求項１から請求項６までのいずれか一つの発明に係る釣り用の仕掛け巻回具から得られる効果に加えて、シート材が透明に形成されているため、このシート材により覆われた仕掛けを目視により判別することができ、個々の仕掛け巻回具にて保管された複数種類の仕掛けの中から所望の仕掛けを直ちに取り出すことができる。
【００５９】
請求項９の発明に係る釣り用の仕掛け巻回具によれば、請求項１から請求項８までのいずれか一つの発明に係る釣り用の仕掛け巻回具から得られる効果に加えて、シート材を巻回しても内側のシート材の表面と外側のシート材の裏面とが密着し難いため、シート材を巻回した状態で長時間放置した場合に生じるシート材の貼着を防止することができる。
【００６０】
請求項１０の発明に係る釣り用の仕掛け巻回具によれば、請求項１から請求項９までのいずれか一つの発明に係る釣り用の仕掛け巻回具から得られる効果に加えて、巻回が完了されたシート材の端部から仕掛けの端部が延出するため、巻回したままの状態で仕掛けを道糸に取り付けることができ、道糸への仕掛けの取り付けを容易に行うことができる。
【図面の簡単な説明】
【図１】本各発明に係る仕掛け巻回具の実施形態の一例を示す斜視図である。
【図２】シート材を示す要部斜視図である。
【図３】シート材の巻回完了間際の状態を示す斜視図である。
【図４】シート材の巻回が完了した状態を示す斜視図である。
【図５】従来の仕掛け巻回具を示す斜視図である。
【符号の説明】
１０  仕掛け巻回具
２０  巻回具本体
２１  軸部
２２  延出部
３０  シート部材
３１  表面
３２  裏面
４０  粘着部材（固定手段）
５０  仕掛け
５１  幹糸
５２  枝糸
５３  釣り針
【図１】
0003605596.tif 000002
【図２】
0003605596.tif 000003
【図３】
0003605596.tif 000004
【図４】
0003605596.tif 000005
【図５】
0003605596.tif 000006